(57)【要約】【課題】着信側の電話装置で利用可能な安価なネットワークの電話番号（着信先電話番号）を発信側の電話装置に通知し、次回以降の発信において、該電話番号宛に発信可能な機能を提供する。【解決手段】予め、着信側電話装置の相手番号登録部に、発側電話番号と該発側電話番号に対応して通話料金が最も安価となるネットワークの着側電話番号を登録しておき、受信した発側電話番号と、着信した回線の電話番号を、相手番号登録部の内容に従って対応しているか否かを判断し、対応していないと判断した場合、相手番号登録部に保存された着側電話番号を発信側電話装置に通知する。【選択図】図２
2010161445.tif 000002
【特許請求の範囲】
【請求項１】
複数のネットワークに対応した複数の着電話番号を有する電話装置において、
前記複数の着電話番号に対応して通信相手の電話番号または電話番号の一部を登録する相手電話番号登録手段と、着信時に発側電話番号を受信する発側電話番号受信手段と、着信時に当該着信の着電話番号を抽出する着側電話番号抽出手段と、前記受信した発側電話番号と前記抽出した着電話番号の対応が前記相手電話番号登録手段に登録されている対応関係か否かを判定する対応判定手段と、前記対応判定手段が前記相手電話番号登録手段に登録されている対応関係ではないと判定した場合に、当該発側電話番号に対応して前記相手電話番号登録手段に登録されている着電話番号を発側電話装置に通知する着電話番号通知手段とを具備することを特徴とする電話装置。
【請求項２】
請求項１に記載の電話装置であって、
前記着電話番号通知手段は、予め定められた設定が為されている場合、あるいは予め定められた特定操作が為された場合に、当該発側電話番号に対応して前記相手電話番号登録手段に登録されている着電話番号を発側電話装置に通知することを特徴とする電話装置。
【請求項３】
請求項１または請求項２に記載の電話装置であって、
前記相手電話番号登録手段は、前記複数のネットワークの内、通信相手との間の通信料金が最も安価となるネットワークに対応した相手電話番号と着電話番号の関係で登録することを特徴とする電話装置。
【請求項４】
電話番号を受信する機能を有する電話装置において、
発信先の電話番号を登録する発信先電話番号登録手段を有し、発信電話番号へ発信した通信相手から前記発信電話番号と異なる電話番号を受信した場合に、前記発信先電話番号登録手段に登録されている前記発信電話番号に対応する部位を、受信した前記電話番号と置換することを特徴とする電話装置。
【発明の詳細な説明】
【技術分野】
【０００１】
本発明は、発側電話装置に対して、通話料金の安価な電話番号を通知することにより、通信コストを低減し、かつ次回以降の発信時に容易に相手先を指定できるようにした電話装置に関するものである。
【背景技術】
【０００２】
特許文献１には、通信コストを低減するためＡＣＲ（Automatic Carrier Routing）やＬＣＲ（Least Cost Routing）と呼ばれる発信時に安価なネットワーク（電話網）を選択する機能が記載されている。
【０００３】
【特許文献１】特開平６−１３３０１８号公報
【発明の開示】
【発明が解決しようとする課題】
【０００４】
しかし従来の方法では、予め知り得た電話番号をダイヤルし、発信側に設定されたＡＣＲ機能やＬＣＲ機能の判定条件に従ってネットワークを選択していたため、着信側の電話装置に収容される安価なネットワークの存在を把握することができず、特に同系列の電話サービス事業者相互の通信が無料となるＩＰ電話サービスネットワークなどを効率的に選択できないなどの不都合があった。
【０００５】
本発明の課題は、着信側の電話装置で利用可能な安価なネットワークの電話番号（着信先電話番号）を発信側の電話装置に通知し、次回以降の発信において、該電話番号宛に発信可能な機能を提供することにある。
【課題を解決するための手段】
【０００６】
そこで本発明では、着信側電話装置において、予め、相手番号登録部に発側電話番号（発信者番号）と、該発側電話番号に対応して通話料金が最も安価となるネットワークの着側電話番号を登録しておき、受信した発側電話番号と、着信した回線の電話番号（着信先電話番号）を、相手番号登録部の内容に従って対応しているか否かを判断し、対応していないと判断した場合、相手番号登録部に保存された着側電話番号を発信側電話装置に通知する。発信側電話装置は、受信した着側電話番号に基づき、対応する電話帳もしくは電話番号変換テーブルの内容を書き換える。以上により、次回以降の発信操作時に電話帳等を検索することで、最も安価なネットワークで発信できる。
【０００７】
上述した課題は、複数のネットワークに対応した複数の着電話番号を有し、複数の着電話番号に対応して通信相手の電話番号または電話番号の一部を登録する相手電話番号登録手段と、着信時に発側電話番号を受信する発側電話番号受信手段と、着信時に当該着信の着電話番号を抽出する着側電話番号抽出手段と、受信した発側電話番号と抽出した着電話番号の対応が相手電話番号登録手段に登録されている対応関係か否かを判定する対応判定手段と、対応判定手段が相手電話番号登録手段に登録されている対応関係ではないと判定した場合に、当該発側電話番号に対応して相手電話番号登録手段に登録されている着電話番号を発側電話装置に通知する着電話番号通知手段とを具備する電話装置により、達成できる。
【０００８】
また、電話番号を受信する機能と、発信先の電話番号を登録する発信先電話番号登録手段とを有し、発信電話番号へ発信した通信相手から発信電話番号と異なる電話番号を受信した場合に、発信先電話番号登録手段に登録されている発信電話番号に対応する部位を、受信した電話番号と置換する電話装置により、達成できる。
【発明の効果】
【０００９】
発信側電話装置で認知していなかった安価なネットワークを利用できるようになる。
【発明を実施するための最良の形態】
【００１０】
以下、本発明の実施の形態について、実施例を用い図面を参照しながら詳細に説明する。なお、実質同一部位には同じ参照番号を振り、説明は繰り返さない。
【００１１】
図１を参照して、電話装置が適用される電話ネットワークの構成を説明する。ここで、図１は電話ネットワークの全体構成図である。図１において、電話ネットワークは、IP回線の電話網２−１、２−３とPSTN回線の電話網２−２と、電話網２−１〜３を収容し、主装置として機能する電話装置（以下、着側電話装置５と呼ぶ。）と、着側電話装置５に接続される内線電話端末６と、電話網２−１に接続された発側電話装置１−１、電話網２−２に接続された発側電話装置１−２、電話網２−３に接続された発側電話装置１−３とから構成される。ここで、電話網２は各ＩＰ電話サービスネットワークのサービス事業者を意味しており、発側電話装置１は同じサービス事業者の通信であれば、格段に安価な通話料金で済ませることができる。
具体的には、発側電話装置１−２と同じサービス事業者のＩＰ電話サービスネットワークの着側電話装置５の電話番号０５０−４５６７−１０ｙｙがわかれば、格段に安価な通話料金で済ませることができる。
【００１２】
発側電話装置１の上部に記載された１１桁の数値は、各発側電話装置１の電話番号である。ルータ３、GW４の上部に記載された１１桁の数値は、着側電話装置５が収容している電話番号である。発側電話装置１から着側電話装置５に発呼すると、電話番号が通知される。なお、各発側電話装置１は、着側電話装置５の電話番号にも発呼できる。
【００１３】
図２を参照して、着側電話装置５と内線端末６のブロック構成について説明する。ここで、図２は着側電話装置５と内線端末６の機能ブロック図である。図２において、着側電話装置５は、通信回線インタフェース（ＩＦ）部５１と、呼制御部５２−１と、発側番号受信部５３と、着信番号抽出部５４と、着側情報通知部５５と、制御部５０と、対応関係判定部５６と、内線呼制御部５２−２と、相手番号登録部５７と、判定結果通知部５９と、特定操作検出部５８とから構成される。着側電話装置５は、特定操作検出部５８と、内線呼制御部５２−２と、判定結果通知部５９とで内線端末６と接続される。
【００１４】
通信回線ＩＦ部５１は、外部のルータ３およびＧＷ４と接続するためのインターフェースである。呼制御部５２−１は、外線との発着信を制御する。内線呼制御部５２−２は、内線端末６との発着信を制御する。制御部５０は、電話装置５の全体を制御する。発側番号受信部５３は、発側電話装置１から通知される発側電話番号（発信者番号）を受信する。着信番号抽出部５４は、着信した電話回線の電話番号（着信先電話番号）を抽出する。相手番号登録部５７は、発側電話番号と対応する最も安価な着側電話番号の対応を記録する。対応関係判定部５６は、受信した発側電話番号と相手番号登録部５７の内容との対応を判定する。特定操作検出部５８は、内線端末６の操作部６１からの特定操作を検出する。判定結果通知部５９は、対応関係判定部５６の判定結果を、内線端末６に通知する。着側情報通知部５５は、電話装置１に対して推奨する接続先の電話番号（着側電話番号）を通知する。
【００１５】
内線端末６は、制御部６０と、表示部６１と、操作部６２とを具備する。制御部６０は、内線端末６の全体を制御する。表示部６１は、着信番号／発信番号を表示する。表示部６１は、また、電話装置５の判定結果通知部５９からの通知を表示する。操作部６２は、テンキー等の入力部である。操作部６２は、またテンキー等の操作により、電話装置５の特定操作検知部５８に制御信号を送信する。
【００１６】
図３を参照して、発側電話装置１のブロック構成を説明する。ここで、図３は発側電話装置１の機能ブロック図である。図３において、発側電話装置１は、ダイヤル操作部１１と、発信先電話番号登録部（電話帳）１２と、制御部１０と、発信番号判定部１３と、呼制御部１４と、発側番号通知部１５と、着側情報受信部１６と、通信回線インタフェース（ＩＦ）部１７とから構成される。
【００１７】
通信回線ＩＦ部１７は、電話網２に接続される。呼制御部１４は、電話網２との発着信を制御する。ダイヤル操作部１１は、発信時に相手先を指定する。発信先電話番号登録部１２は、電話帳、番号変換テーブル等の発信先電話番号を登録する。発側番号通知部１５は、発信時に相手先に発側電話番号を通知する。着側情報受信部１６は、着側電話装置５から通知された着側電話番号等の着側情報を受信する。発信番号判定部１３は、発信した電話番号と着側情報受信部１６で受信した着側電話番号とを比較する。発信番号判定部１３は、発信した電話番号と受信した着側電話番号とが異なるとき、発信先電話番号登録部１２の該当番号を受信した着信電話番号で上書きする。制御部１０は、内線端末６の全体を制御する。
【００１８】
図４を参照して、着側電話装置５の相手電話番号登録部５７の登録内容を説明する。ここで、図４は着側電話装置５の相手番号登録部５７の保持データを説明する図である。図４において、相手番号登録部５７は、発側電話番号５７１と通知電話番号５７２とからなる通知電話番号テーブル５７０を保持する。発側電話番号５７１は、先頭の数桁を保持する。通知電話番号５７２は、着信情報通知部５５が通知する着信電話番号を保持する。
【００１９】
ここで、電話番号の体系を説明する。０ＡＢ〜Ｊは、０３、０４５、０２７２等の一般加入者の電話番号である。０Ａ０は、０５０（IP網）、０９０（携帯電話網）等の他の電話網に接続する電話番号である。発側電話番号５７１は、これらの電話番号を記録し、当該電話番号から着信したとき、最も通話料金が安価となる着側電話番号を通知電話番号５７２に保持している。なお、ＩＰ電話の電話番号は０５０で識別される。さらに、ＩＰ電話の電話番号は、０５０−ＣＤＥＦ−ｘｘｘｘである。ここで、ＣＤＥＦの部分で事業者が特定できる。
【００２０】
具体的には、発側電話番号が０５０−４５６８−ｘｘｘｘで着信した場合、通知する着側電話番号は、同じＩＰ電話事業者の着側電話番号である０５０−４５６７−１０ｙｙを選択する。ここでは、着側電話装置５は、市外局番０２７２の地域にあり、同一市内からの電話と、携帯電話（０９０）からの電話には、加入者電話番号である０２７−５３−１０ｘｘを選択する。なお、発側電話番号５７１は、電話番号の一部とは限らず、全桁を記載してもよい。すなわち、電話番号の一部は、全部を含む。
【００２１】
図５と図６を参照して、発信先電話番号登録部の登録内容を説明する。ここで、図５および図６は、発側電話装置の発信先電話番号登録部の保持データを説明する図である。ここで、図５は更新前、図６は更新後である。
【００２２】
図５および図６において、発信先電話番号登録部１２は、メモリ番号１２１と、相手先名称１２２と、発信電話番号１２３とからなる電話帳１２０（１２０Ａ）を保持する。
【００２３】
図５において、電話帳１２０のメモリ番号００２のレコードの発信電話番号は、０２７−２５３−１０ｘｘである。
【００２４】
ここでは、このレコードを用いて、電話装置５へ発信したとして説明する。なお、電話装置１の着信電話番号は、０３−１２３４−５６ｊｋ、発信電話番号は、０２７２５３１０ｘｘである。電話装置５は、図４の相手電話番号登録部５７の通知電話番号テーブル５７０より発側電話番号５７１が０３＊のレコードの通知電話番号５７２である０５０−４５６７−１０ｙｙを取得する。着側電話装置５は、発側電話装置１にこの番号を通知する。発側電話装置１は、電話帳１２０を電話帳１２０Ａに更新する。図６に示すように更新後の電話帳１２０Ａのメモリ番号１２１が００２のレコードの発信電話番号１２３は、０５０−４５６７−１０ｙｙに更新されている。
【００２５】
図７を参照して、着側電話装置５の動作フローを説明する。ここで、図７は着側電話装置５のフローチャートである。図７において、着側電話装置５は、着信を待つ（Ｓ５１）。着信があったとき（Ｓ５１：ＹＥＳ）、着側電話装置５は、発側電話装置１から送信された発側電話番号を抽出する（Ｓ５２）。着側電話装置５は、着信した回線の電話番号を抽出する（Ｓ５３）。着側電話装置５は、通知電話番号テーブル５７０を参照し、発側電話番号に対応する通知電話番号５７２が着信回線の電話番号と一致するか判定する（Ｓ５４）。ＹＥＳのとき、着側電話装置５は、終話を監視し（Ｓ５６）、終了する。
【００２６】
ステップ５４でＮＯのとき、着側電話装置５は、内線端末６に判定結果（不一致）を送信する（Ｓ５７）。着側電話装置５は、特定操作を監視する（Ｓ５８）。ＹＥＳのとき、着側電話装置５は、発側電話装置１に着側電話番号を通知する（Ｓ５９）。Ty買う側電話装置５は、終話を監視し（Ｓ６１）、終了する。ステップ５８でＮＯのとき、着側電話装置５は、ステップ６１に遷移する。ステップ６１でＮＯのとき、電話装置５は、ステップ５８に遷移する。
なお、図７では、特定操作を契機に着側電話番号の通知を行なっているが、ステップ５４の条件判断のみで、着側電話番号を通知してもよい。
【００２７】
図８を参照して、発側電話装置１の動作フローを説明する。ここで、図８は発側電話装置１のフローチャートである。図８において、発側電話装置１は、電話帳発信を監視する（Ｓ７１）。発信したとき（Ｓ７１：ＹＥＳ）、発側電話装置１は、電話帳登録位置と発信電話番号を記憶する（Ｓ７２）。発側話装置１は、着側電話番号の受信を判定する（Ｓ７３）。ＹＥＳのとき、発側電話装置１は、着側電話番号が記憶した発信電話番号と一致したか判定する（Ｓ７４）。ＹＥＳのとき、発側電話装置１は、終話を監視し（Ｓ７６）、終了する。
【００２８】
ステップ７４でＮＯのとき、発側電話装置１は、記憶した電話帳登録位置の発信電話番号を、受信した着側電話番号で書き換える（Ｓ７７）。ステップ７３でＮＯのとき、発側電話装置１は、ステップ７６に遷移する。ステップ７６でＮＯのとき、発側電話装置１は、ステップ７３に遷移する。
【００２９】
本実施例では、着側電話装置（主装置）５と内線端末６の構成として説明したが、独立した電話機、ターミナルアダプタ（ＴＡ）、ゲートウェイ（ＧＷ）等の形態の電話装置に本機能を具備させてもよい。また着側電話装置５から発側電話装置１に通知する着側情報には、電話帳を構成するための名称や内線番号やＵＲＬ等の端末ＩＤ情報を含んでもよい。
【００３０】
着側情報を通知する契機は、本実施例に示す特定操作の他、着信を受付けた時点や着信に応答した時点や通話を終了した時点、着信時に受信した発側電話番号が予め登録された発側電話番号と一致した場合などの条件判断により、通知してもよい。また電話番号を書換える対象は電話帳の他に、内線番号と外線電話番号の対応テーブルや発着信履歴などの相手先の電話番号を記憶する機能に適用してもよい。また発側電話装置１に対して着側情報を伝達する手段は、ＰＢ信号（ＤＴＭＦ信号）やモデム信号、電子メールや専用コマンド等のＩＰパケットを用いてもよい。
【００３１】
上述した実施例に拠れば、発信側の電話装置で認知していなかった安価なネットワークを利用できるようになる。ＡＣＲやＬＣＲ機能に依存することなく、更に通信コストを低減することができる。また着側電話装置より着側電話番号の他に名称情報を通知して発信側電話装置で自動的に電話帳を構成することができる。同系列のＩＰ電話サービスネットワーク相互など通話料金が無料となるケースについては、内線番号を通知して発側電話装置の番号変換テーブルを構成し内線ダイヤルとして接続することもできる。
【図面の簡単な説明】
【００３２】
【図１】電話ネットワークのハードウェアブロック図である。
【図２】電話装置と内線端末の機能ブロック図である。
【図３】電話装置の機能ブロック図である。
【図４】電話装置の相手番号登録部の保持データを説明する図である。
【図５】発側電話装置の発信先電話番号登録部の保持データを説明する図である。
【図６】発側電話装置の発信先電話番号登録部の保持データ（更新後）を説明する図である。
【図７】着側電話装置のフローチャートである。
【図８】発側電話装置のフローチャートである。
【符号の説明】
【００３３】
１…発側電話装置、２…電話網（ネットワーク）、３…ルータ、４…ゲートウェイ、５…着側電話装置、６…内線端末、１２…発信先電話番号登録部（電話帳）、１３…発信番号判定部、１５…発側番号通知部、１６…着側情報受信部、５３…発側番号受信部、５４…着信番号抽出部、５５…着側情報通知部、５６…対応関係判定部、５７…相手番号登録部、５８…特定操作検出部。
【図１】
2010161445.tif 000003
【図２】
2010161445.tif 000004
【図３】
2010161445.tif 000005
【図４】
2010161445.tif 000006
【図５】
2010161445.tif 000007
【図６】
2010161445.tif 000008
【図７】
2010161445.tif 000009
【図８】
2010161445.tif 000010